(57)【要約】【課題】厚みの著しい増加を招くことなく、引き出し部を引き出すことにより、媒体を支持するサポート面が基端側から自由端側に向かって展開される伸縮式の媒体サポートを構成する。【解決手段】媒体サポート６は、第１引き出し部６、第２引き出し部７、第３引き出し部８、のこれらを備え、各引き出し部を引き出すことにより記録用紙を支持するサポート面が展開される。第１引き出し部７と第２引き出し部８との間においては、第２引き出し部８に形成されたアリ溝８ｂに、第１引き出し部７に形成されたアリ７ａが嵌合して、当該第１引き出し部７が第２引き出し部８にスライド可能に収容されているの。これにより第１引き出し部７の厚みにガイド部８ｈの厚みがそのまま加わらず、第２引き出し部８の厚み増加を最小限に抑えることができる。【選択図】図６
2010030755.tif 000002
【特許請求の範囲】
【請求項１】
基端側引き出し部に、当該基端側引き出し部より幅寸法の小さい自由端側引き出し部がスライド可能に収容される関係を少なくとも一つ備えて成り、各引き出し部を引き出すことにより、媒体を支持するサポート面が基端側から自由端側に向かって展開される伸縮式の媒体サポートであって、
前記基端側引き出し部に形成されたアリ溝に、前記自由端側引き出し部に形成されたアリが嵌合して当該自由端側引き出し部が前記基端側引き出し部にスライド可能に収容されていることを特徴とする媒体サポート。
【請求項２】
請求項１に記載の媒体サポートにおいて、最も基端側に位置する前記基端側引き出し部が、前記自由端側引き出し部を収容する内側のアリ溝に対して前記引き出し方向に対称に形成される外側のアリ溝を有し、
当該基端側引き出し部が、前記外側のアリ溝を介して、当該基端側引き出し部を保持する保持部にスライド可能に保持されている、
ことを特徴とする媒体サポート。
【請求項３】
請求項１または２に記載の媒体サポートにおいて、前記基端側引き出し部において前記アリ溝が形成されたガイド部の頂面と、前記自由端側引き出し部において前記基端側引き出し部と対向する側に対し反対側の面とが略面一であることを特徴とする媒体サポート。
【請求項４】
媒体に記録を行う記録部を備えた記録装置であって、請求項１から３のいずれか１項に記載の媒体サポートを備えている、
ことを特徴とする記録装置。
【発明の詳細な説明】
【技術分野】
【０００１】
本発明は、少なくとも１つの引き出し部を備えて構成され、前記引き出し部を引き出すことにより媒体を支持するサポート面が展開される媒体サポート、およびこれを備えた、ファクシミリやプリンタ等に代表される記録装置に関する。
【背景技術】
【０００２】
記録装置の一例としてのプリンタには、媒体の一例としての記録用紙を支持する媒体サポートが設けられている。媒体サポートは、例えば記録の行われた記録用紙が排出される位置に設けられて記録の行われた記録用紙を支持し、或いは給紙装置に設けられてセットされる記録用紙を例えば傾斜姿勢に支持する。
【０００３】
この様な媒体サポートは、非使用時には設置スペースを小さく、一方で使用時には媒体を支持するサポート面が広く展開されるように、複数段式に引き出し可能に（伸縮可能に）構成される場合がある（例えば、特許文献１〜３参照）。
【０００４】
より具体的には、基端側引き出し部に自由端側引き出し部が収容され、更にこの自由端側引き出し部を基端側引き出し部として別の自由端側引き出し部が収容され、・・・というように自由端側に位置する引き出し部が順次内側に収容されるようになっている。
【特許文献１】特開２００２−２４１０２６号公報
【特許文献２】特開２００６−１７０５号公報
【特許文献３】特開２００３−９５５１０号公報
【発明の開示】
【発明が解決しようとする課題】
【０００５】
しかしながらこのような従来の収容構造にあっては、引き出し部を引き出し方向にガイドするガイドレールを設ける関係上、段数が多くなるに従って基端側引き出し部の厚みが増してしまい、著しい大型化が避けられなかった。
【０００６】
そこで本発明はこの様な状況に鑑み成されたものであり、その課題は、厚みの著しい増加を招くことなく、引き出し部を引き出すことにより媒体を支持するサポート面が基端側から自由端側に向かって展開される伸縮式の媒体サポートを構成することにある。
【課題を解決するための手段】
【０００７】
上記課題を解決するために、本発明の第１の態様に係る媒体サポートは、基端側引き出し部に、当該基端側引き出し部より幅寸法の小さい自由端側引き出し部がスライド可能に収容される関係を少なくとも一つ備えて成り、各引き出し部を引き出すことにより、媒体を支持するサポート面が基端側から自由端側に向かって展開される伸縮式の媒体サポートであって、前記基端側引き出し部に形成されたアリ溝に、前記自由端側引き出し部に形成されたアリが嵌合して当該自由端側引き出し部が前記基端側引き出し部にスライド可能に収容されていることを特徴とする。
【０００８】
本態様によれば、媒体サポートは基端側引き出し部に形成されたアリ溝に、自由端側引き出し部に形成されたアリが嵌合して引き出し方向にスライド可能に収容されるので、自由端側引き出し部の厚みにガイド部の厚みがそのまま加わらず、基端側引き出し部の厚み増加を最小限に抑えることができる。
【０００９】
本発明の第２の態様に係る媒体サポートは、第１の態様において、最も基端側に位置する前記基端側引き出し部が、前記自由端側引き出し部を収容する内側のアリ溝に対して前記引き出し方向に対称に形成される外側のアリ溝を有し、当該基端側引き出し部が、前記外側のアリ溝を介して、当該基端側引き出し部を保持する保持部にスライド可能に保持されていることを特徴とする。
【００１０】
本態様によれば、前記基端側引き出し部が、前記自由端側引き出し部を収容する内側のアリ溝に対して前記引き出し方向に対称に形成される外側のアリ溝を有し、この外側のアリ溝を介して保持部により保持されるので、媒体サポートの厚み増加を抑えつつ、前記基端側引き出し部を保持する保持部を、前記基端側引き出し部の反対側に配置することができる。
【００１１】
本発明の第３の態様に係る媒体サポートは、第１のまたは第２の態様において、前記基端側引き出し部において前記アリ溝が形成されたガイド部の頂面と、前記自由端側引き出し部において前記基端側引き出し部と対向する側に対し反対側の面とが略面一であることを特徴とする。
【００１２】
本発明によれば、前記基端側引き出し部において前記アリ溝が形成されたガイド部の頂面と、前記自由端側引き出し部において前記基端側引き出し部と対向する側に対し反対側の面とが略面一であるので、前記自由端側引き出し部が前記基端側引き出し部から外側に大きく突出せず、厚み増加が抑えられたコンパクトな媒体サポートを得ることができる。
【００１３】
本発明の第４の態様に係る記録装置は、媒体に記録を行う記録部を備えた記録装置であって、第１から第３の態様のいずれかに係る媒体サポートを備えていることを特徴とする。本態様によれば、記録装置において、上記第１から第３の態様のいずれかと同様な作用効果を得ることができる。
【発明を実施するための最良の形態】
【００１４】
以下、図１〜図６を参照しながら本発明の実施形態について説明する。ここで、図１は本発明に係るインクジェット複合機１の外観斜視図、図２は媒体サポート６の分解斜視図であって各構成要素を上方から見た図、図３は同分解斜視図であって各構成要素を下方から見た図、図４（Ａ）は図３のａ部拡大図、図４（Ｂ）は図３のｂ部拡大図、図５（Ａ）は図２のｃ部拡大図、図５（Ｂ）は図３のｄ部拡大図、図６は媒体サポート６を各引き出し部の引き出し方向と直交する面で切断した断面図である。
【００１５】
図１及び図２において、媒体（被記録媒体）の一例としての記録用紙に記録を実行する記録装置の一つとしてのインクジェット複合機１は、記録用紙に記録を実行するインクジェットプリンタ機構とスキャナ機構とを併せ持った複合機であり、符号１ａは上記インクジェットプリンタ機構（記録部）及びスキャナ機構（画像読み取り部）を備えた装置本体を示し、また符号２は装置本体１ａの上部に設けられた、上記スキャナ機構の原稿台（図示せず）を開閉する原稿台カバー２を示している。
【００１６】
符号６は、同図の展開状態と、図示しない収納状態と、を切り換え可能な複数段式（伸縮式）の媒体サポートを示しており、インクジェット複合機１にセットされる記録用紙は、この媒体サポート６により傾斜姿勢に支持される。尚、この媒体サポート６の構成については、後に詳述する。
【００１７】
符号５は、同図の収納状態と、図示しない展開状態と、を切り換え可能な複数段式（伸縮式）の排紙トレイを示しており、記録の行われた記録用紙は、この排紙トレイ５に向けて排出され、そして支持される。
【００１８】
符号３は、画像データなどが記憶された記憶媒体（図示せず）を挿入する記憶媒体挿入部を示していて、インクジェット複合機１は、記憶媒体挿入部３に挿入された記憶媒体に記憶された画像データを、外部コンピュータによらず、単独でインクジェット記録可能な所謂スタンドアロン型プリンタとして構成されている。
【００１９】
符号４は、プレビュー画像やユーザインタフェースなどの各種情報を表示する情報表示部、電源投入ボタンや記録実行ボタン、更に各種設定を行うボタン等が複数配列されて成る操作設定部、を備えたチルトパネルユニットを示している。
【００２０】
このチルトパネルユニット４は図示を省略するチルト装置を介してインクジェット複合機１の装置本体１ａに対して回動（チルト）可能に設けられており、またそのチルト角が、上記チルト装置によってユーザにとって視認性及び操作性の良好な任意の角度で保持されるようになっている。
【００２１】
続いて図２乃至図６を参照しながら本発明に係る媒体サポート６について詳説する。  
媒体サポート６は展開状態において自由端側（先端側）から基端側（装置本体１ａの側）に向かって順に第１引き出し部７、第２引き出し部８、第３引き出し部９、のこれら引き出し部を備えており、第３引き出し部９が、装置本体１ａに設けられた保持部１０により保持される構成となっている。
【００２２】
そして各引き出し部を引き出すことにより、記録用紙を支持するサポート面（図６において上側）が基端側から自由端側に向かって展開される。尚、各引き出し部及び支持部１０は、本実施形態ではそれぞれ樹脂成形により形成される。
【００２３】
第１引き出し部７と第２引き出し部８との間の関係は、第２引き出し部８が基端側に位置する基端側引き出し部であり、第１引き出し部７が自由端側に位置する自由端側引き出し部であって、第１引き出し部７は第２引き出し部８より幅寸法（図２及び図３の左右方向寸法）が小さく、第２引き出し部８にスライド可能に収容される。
【００２４】
第２引き出し部８と第３引き出し部９との間の関係も同様であり、第３引き出し部９が基端側に位置する基端側引き出し部であり、第２引き出し部８が自由端側に位置する自由端側引き出し部であって、第２引き出し部８は第３引き出し部９より幅寸法が小さく、第３引き出し部９にスライド可能に収容される。
【００２５】
以下、第１引き出し部７と第２引き出し部８との間の関係について詳説する。第１引き出し部７は、その断面が記録用紙を支持する支持面（図６において上側）を上にしたときに台形を逆にした形状を成す板状体であり、その両サイドに、外側に向かって先細りする様に、後述するアリ溝構造を構成するアリ７ａが形成されている。
【００２６】
この第１引き出し部７を抱持するように収容する第２引き出し部８も同様に、その断面が台形を逆にした形状を成す板状体であり、その両サイドに、外側に向かって先細りする様にアリ８ａが形成されている。また、第１引き出し部７の断面形状に沿った形状を成すアリ溝８ｂが形成されており、このアリ溝８ｂに第１引き出し部７（アリ７ａ）が嵌合して、第１引き出し部７が引き出し方向（図６において紙面表裏方向）にスライド可能に収容される。
【００２７】
続いて第１引き出し部７の引き出し限界位置を規制する規制手段と、引き出し状態及び収容状態を保持する保持手段について説明する。  
第１引き出し部７の両サイドに形成されたアリ７ａには、図２及び図４（Ａ）に示すようなそれぞれ係止突起７ｃが形成されており、一方で第２引き出し部８に形成された２つのアリ溝８ｂには、それぞれ図４（Ｂ）に示すような規制壁８ｅが形成されている。
【００２８】
規制壁８ｅは、アリ溝８ｂ内に突出する様に形成されており、これにより第１引き出し部７が図４（Ｂ）の矢印で示すように引き出し方向にスライドした際に、係止突起７ｃが規制壁８ｅに当接し、それ以上の引き出しが規制される。このように係止突起７ｃと規制壁８ｅとを備えて構成された規制手段により、第１引き出し部７の引き出し限度位置が規制される。
【００２９】
尚、第２引き出し部８のアリ８ａにも係止突起７ｃと同様な係止突起（符号８ｄで示す）が形成されており、また第３引き出し部９にも規制壁８ｅと同様な規制壁（図示せず）が形成されていて、この様な規制手段により第２引き出し部８の引き出し限度位置が規制される様になっている。更に第３引き出し部９と保持部１０との間にも同様な規制手段が設けられていて（図示せず）、第３引き出し部９の引き出し限度位置が規制される様になっている。
【００３０】
続いて、第１引き出し部７において記録用紙を支持する側の面には図２及び図５（Ａ）に示すように係止突起７ｂが２箇所形成されており、第２引き出し部８において記録用紙を支持する側に対し反対側の面には図３及び図５（Ｂ）に示すように収納側保持突起８ｆ及び進出側保持突起８ｇの組が、第１引き出し部７に形成された係止突起７ｂの配置場所に対応するように２組形成されている。
【００３１】
これにより第１引き出し部７が収納状態にあるときには、係止突起７ｂが図５（Ｂ）において収納側保持突起８ｆの上側に乗り越えた状態となり、第１引き出し部７が収納状態に保持される。そしてこの状態から第１引き出し部７を引き出し方向にスライドさせると、係止突起７ｂが収納側保持突起８ｆを乗り越えて進出側保持突起８ｇの側に移動し、更に進出側保持突起８ｇを乗り越えることにより、第１引き出し部７が進出状態に保持される。以上により、係止突起７ｂと、収納側保持突起８ｆ及び進出側保持突起８ｇとが、第１引き出し部７を収納状態と進出状態のそれぞれに保持する保持手段を構成する。
【００３２】
尚、第２引き出し部８にも係止突起７ｂと同様な係止突起（符号８ｃで示す）が形成されており、また第３引き出し部９にも第２引き出し部８に形成された収納側保持突起８ｆ及び進出側保持突起８ｇのそれぞれと同様な収納側保持突起（符号９ｃで示す）及び進出側保持突起（符号９ｄで示す）が形成されていて、この様な保持手段により第２引き出し部８が収納状態と進出状態のそれぞれに保持される。
【００３３】
以上の様に構成された媒体サポート６においては、例えば第１引き出し部７と第２引き出し部８との間において第２引き出し部８に形成されたアリ溝８ｂに、第１引き出し部７に形成されたアリ７ａが嵌合して、当該第１引き出し部７が第２引き出し部８にスライド可能に収容されているので、図６から明かなように第１引き出し部７の厚みにガイド部（図６において符号８ｈで示す）の厚みがそのまま加わらず、第２引き出し部８の厚み増加を最小限に抑えることができる。
【００３４】
特に、本実施形態ではガイド部８ｈの頂面（図６では下面：符号Ｓ１で示す）と、第１引き出し部７において第２引き出し部８と対向する側に対し反対側の面（図６では下面：符号Ｓ２で示す）とが略面一であるので、第１引き出し部７が第２引き出し部８から外側に大きく突出せず、厚み増加が抑えられたコンパクトな媒体サポートを構成することができる。
【００３５】
また、最も基端側に位置する第３引き出し部９が、図６に示すように第２引き出し部８を収容するアリ溝９ａに対して引き出し方向（同図の紙面表裏方向）に対称に形成される外側のアリ溝９ｂを有し、このアリ溝９ｂを介して、保持部１０に形成されたガイドレール１０ａにスライド可能に保持されている。
【００３６】
即ち、保持部１０を図６に示すように第３引き出し部９の反対側（図６において下側）に配置することを前提として、仮に第３引き出し部９のサイドエッジに第１引き出し部７及び第２引き出し部８と同様な向きのアリを形成するとともに、これと勘合するアリ溝を保持部１０に形成する場合には、保持部１０の厚みが第３引き出し部９より更に図６の上方に延び、媒体サポート６全体の厚みが増加する。尚、保持部１０を第３引き出し部９の反対側に配置するのは、収納時における媒体サポート６の美観確保や、その他設計上の理由による。
【００３７】
しかしながら本実施形態のように２つのアリ溝９ａ、９ｂを背中合わせに配置し、断面視においてＹ字を逆にしたガイド構造とすることで、保持部１０を第３引き出し部９の反対側に配置した際の媒体サポート６全体の厚み増加を防止できる。また、媒体サポート６全体の厚み増加を防止しつつ、保持部１０を第３引き出し部９の反対側に配置できるので、設計の自由度が向上する。
【００３８】
以上説明した実施形態は一例であり、これに限られないことは言うまでも無い。例えば、本実施形態では引き出し部を３段備えているが、より少数の引き出し部、或いは更に多数の引き出し部を備えて構成しても構わない。また本実施形態では本発明を記録装置の用紙給送部に設けられる媒体サポートに適用した例について説明したが、これに限られるものではなく、例えば用紙を排出する排出口に設けられた排紙トレイとしての媒体サポート（図１において符号５で示す）に適用することも可能である。
【図面の簡単な説明】
【００３９】
【図１】本発明に係るインクジェット複合機の外観斜視図。
【図２】本発明に係る媒体サポートの分解斜視図。
【図３】本発明に係る媒体サポートの分解斜視図。
【図４】（Ａ）は図３のａ部拡大図、（Ｂ）は図３のｂ部拡大図。
【図５】（Ａ）は図２のｃ部拡大図、（Ｂ）は図３のｄ部拡大図。
【図６】本発明に係る媒体サポートを各引き出し部の引き出し方向と直交する面で切断した断面図。
【符号の説明】
【００４０】
１  インクジェット複合機、１ａ  装置本体、２  原稿台カバー、３  記憶媒体挿入部、４  チルトパネルユニット、５  排紙トレイ、６  媒体サポート、７  第１引き出し部、７ａ  アリ、７ｂ、７ｃ  係止突起、８  第２引き出し部、８ａ  アリ、８ｂ  アリ溝、８ｃ、８ｄ  係止突起、８ｅ  規制壁、８ｆ  収納側保持突起、８ｇ  進出側保持突起、８ｈ  ガイド部、９  第３引き出し部、９ａ  第１アリ溝、９ｂ  第２アリ溝、９ｃ  収納側保持突起、９ｄ  進出側保持突起、１０  保持部、１０ａ  ガイドレール
【図１】
2010030755.tif 000003
【図２】
2010030755.tif 000004
【図３】
2010030755.tif 000005
【図４】
2010030755.tif 000006
【図５】
2010030755.tif 000007
【図６】
2010030755.tif 000008